(57)【特許請求の範囲】
【請求項１】
カバーの開閉に連動して電源スイッチをオン・オフさせるインターロック装置において、
前記電源スイッチをオンにする位置とオフにする位置とへ回動自在なレバー部材と、
このレバー部材を前記電源スイッチがオフとなる位置へ回動するように付勢する付勢部材と、
前記レバー部材に設けられて側方に開閉する前記カバーの閉止時にこのカバーに押圧されて前記レバー部材を前記電源スイッチがオンとなる位置へ回動させる第１受圧部と、
前記レバー部材に設けられて上下方向に開閉する前記カバーの閉止時にこのカバーに押圧されて前記レバー部材を前記電源スイッチがオンとなる位置へ回動させる第２受圧部とを有することを特徴とするインターロック装置。
【請求項２】
モータからの駆動力を搬送ローラへ伝達するギヤ列内の少なくとも一個のギヤを保持してこのギヤを他のギヤとの噛み合いを断続する位置へ移動させる揺動部材と、
前記レバー部材に設けられてこのレバー部材が前記電源スイッチをオンとする位置へ回動したときに前記揺動部材を押圧して前記ギヤを噛み合い状態に戻す位置に移動させる押圧部とをさらに有することを特徴とする請求項１記載のインターロック装置。
【請求項３】
電源スイッチを基板上に設けたことを特徴とする請求項１又は２記載のインターロック装置。
【発明の詳細な説明】
【０００１】
【発明の属する技術分野】
本発明は、カバーの開閉に連動して電源スイッチをオン・オフさせるインターロック装置に関する。
【０００２】
【従来の技術】
レーザプリンタ等の電子写真記録方式を採用した画像形成装置では、トナーカートリッジの交換やジャム紙除去等のためにカバーを開放したときに電源スイッチをオフにし、カバーを閉止したときに電源スイッチをオンにするインターロック装置が設けられている。ここで、画像形成装置で使用されるカバーは、画像形成装置の形式により、上方へ開くものと、側方へ開くものとがある。
【０００３】
そして、カバーの開閉方向が異なることに伴い、インターロック装置の構造も変えている。
【０００４】
【発明が解決しようとする課題】
従って、カバーの開閉方向が異なることに伴い、構造の異なるインターロック装置を使用しなければならず、コスト高となっている。
【０００５】
そこで本発明は、カバーの開閉方向が異なる場合であっても共通に使用することができるインターロック装置を提供することを目的とする。
【０００６】
【課題を解決するための手段】
請求項１記載の発明は、カバーの開閉に連動して電源スイッチをオン・オフさせるインターロック装置において、前記電源スイッチをオンにする位置とオフにする位置とへ回動自在なレバー部材と、このレバー部材を前記電源スイッチがオフとなる位置へ回動するように付勢する付勢部材と、前記レバー部材に設けられて側方に開閉する前記カバーの閉止時にこのカバーに押圧されて前記レバー部材を前記電源スイッチがオンとなる位置へ回動させる第１受圧部と、前記レバー部材に設けられて上下方向に開閉する前記カバーの閉止時にこのカバーに押圧されて前記レバー部材を前記電源スイッチがオンとなる位置へ回動させる第２受圧部とを有する。従って、カバーが側方へ開閉する形式の場合には、このカバーを閉止したときにカバーが第１受圧部を押圧してレバー部材を回動させ、電源スイッチがオンになる。また、このカバーを開放したときには第１受圧部に作用していた押圧力が解除され、レバー部材が付勢部材の付勢力により逆向きに回動して電源スイッチがオフになる。カバーが上下方向へ開閉する形式の場合には、このカバーを閉止したときにカバーが第２受圧部を押圧してレバー部材を回動させ、電源スイッチがオンになる。また、このカバーを開放したときには第２受圧部に作用していた押圧力が解除され、レバー部材が付勢部材の付勢力により逆向きに回動して電源スイッチがオフになる。このため、カバーの開閉方向が異なる場合であっても、インターロック装置が共通化される。
【０００７】
請求項２記載の発明は、請求項１記載の発明のインターロック装置において、モータからの駆動力を搬送ローラへ伝達するギヤ列内の少なくとも一個のギヤを保持してこのギヤを他のギヤとの噛み合いを断続する位置へ移動させる揺動部材と、前記レバー部材に設けられてこのレバー部材が前記電源スイッチをオンとする位置へ回動したときに前記揺動部材を押圧して前記ギヤを噛み合い状態に戻す位置に移動させる押圧部とをさらに有する。従って、カバーの開放時に揺動部材を揺動させてギヤの噛み合いを解除した場合、このギヤを噛み合い状態に戻す操作を忘れてカバーを閉止しても、カバーに押圧されて回動するレバー部材の押圧部が揺動部材を押圧して揺動部材を揺動させ、ギヤが噛み合い状態に戻される。
【０００９】
請求項３記載の発明は、請求項１又は２記載の発明のインターロック装置において、電源スイッチを基板上に設けた。従って、電源スイッチから引き出されるハーネスが不要となる。
【００１０】
【発明の実施の形態】
本発明の実施の第一の形態を図１及び図２に基づいて説明する。画像形成装置の本体ケース１内には、モータ２や、搬送ローラである定着ローラ３や、搬送ローラである給紙ローラ４が収納されている。前記本体ケース１の側面部には、前記モータ２からの駆動力を前記定着ローラ３と給紙ローラ４とへ伝達するための複数のギヤ５〜１８からなるギヤ列１９と、支軸２０の周りに回動自在なレバー部材２１とが設けられている。なお、前記ギヤ１５は前記定着ローラ３の一端に連結され、前記ギヤ１８は前記給紙ローラ４の一端に連結されている。前記レバー部材２１の下方には、レバー部材２１の回動によりオン・オフされる電源スイッチであるマイクロスイッチ２２が設けられている。このマイクロスイッチ２２は基板２３上に取り付けられ、前記レバー部材２１をマイクロスイッチ２２がオフとなる位置へ回動するように付勢する付勢部材である板バネ２４が設けられている。
【００１１】
前記本体ケース１には、支軸２５の周りに側方へ回動自在にカバー２６が取り付けられている。このカバー２６には、前記レバー部材２１に向けて側方向きに突出した突起部２７が形成されている。前記レバー部材２１には、前記カバー２６を閉止したときに、前記レバー部材２１が前記マイクロスイッチ２２をオンとする位置へ回動する向きの押圧力を前記突起部２７から受ける第１受圧部２８が形成されている。さらに、このレバー部材２１には、後述する実施の第二の形態で説明するように、側方へ回動するカバー２６に変えて上下方向に回動するカバーを設けた場合、そのカバーから前記マイクロスイッチ２２をオンとする位置へ回動する向きの押圧力を受ける第１受圧部２８が形成されている。
【００１２】
つぎに、前記本体ケース１には、樹脂製の第１の揺動部材３０が支軸３１を支点として揺動自在に取り付けられている。この揺動部材３０には、前記ギヤ１２が回転自在に保持され、揺動部材３０を支軸３１の周りに揺動させることにより前記ギヤ１２が前記ギヤ１３との噛み合いを断続する位置へ移動する。なお、支軸３１上に前記ギヤ１０，１１が取り付けられている。
【００１３】
また、前記本体ケース１には、樹脂製の第２の揺動部材３２が支軸３３を支点として揺動自在に取り付けられている。この揺動部材３２には、前記ギヤ１６，１７が移動自在に保持され、揺動部材３２を支軸３３の周りに揺動させることにより前記ギヤ１７が前記ギヤ１８との噛み合いを断続する位置へ移動する。なお、支軸３３上に前記ギヤ８，９が取り付けられている。
【００１４】
前記揺動部材３０には、この揺動部材３０を揺動操作する操作レバー３４が固定されている。また、この揺動部材３０にはカム形状の押圧部３５が形成されており、ギヤ１２とギヤ１３との噛み合いを解除する位置へ揺動部材３０を揺動させたとき、押圧部３５が揺動部材３２を押圧し、ギヤ１７とギヤ１８との噛み合いが解除される位置へ揺動部材３２を揺動させる構造となっている。
【００１５】
前記レバー部材２１には、前記カバー２６の閉止操作に伴ってこのレバー部材２１が前記マイクロスイッチ２２をオンとする位置へ回動したとき、前記揺動部材３０の上縁部を押圧してこの揺動部材３０をギヤ１２とギヤ１３とが噛み合う位置へ揺動させるように押圧する押圧部３６が形成されている。
【００１６】
このような構成において、図１は、全てのギヤ５〜１８が噛み合い、かつ、カバー２６が閉止されてマイクロスイッチ２２がオンになっている状態である。この状態からスタートスイッチをオンにすると、モータ２が駆動され、モータ２からの駆動力がギヤ列１９を介して伝達されることにより給紙ローラ４と定着ローラ３とが回転駆動される。
【００１７】
図２は、カバー２６を開放した状態である。給紙ローラ４や定着ローラ３の個所で発生したジャムを解除し、あるいは、トナーカートリッジを交換する場合等には、カバー２６を開放する。カバー２６を開放すると、カバー２６の突起部２７がレバー部材２１の第１受圧部２８から離反し、レバー部材２１は板バネ２４の付勢力により支軸２０の周りに反時計周り方向へ回動し、マイクロスイッチ２２がオフになる。
【００１８】
カバー２６を開放してマイクロスイッチ２２をオフにした後、操作レバー３４を操作して揺動部材３０を支軸３１の周りに時計周り方向へ揺動させ、ギヤ１２とギヤ１３の噛み合いを解除する。ギヤ１２とギヤ１３との噛み合いを解除することにより、定着ローラ３に作用する負荷が小さくなり、定着ローラ３の個所で発生したジャムの解除を容易に行える。また、揺動部材３０の時計周り方向への揺動操作により、揺動部材３０の押圧部３５が揺動部材３２に当たり、揺動部材３２が支軸３３の周りに反時計周り方向へ揺動する。そして、この揺動によりギヤ１７とギヤ１８との噛み合いが解除され、給紙ローラ４に作用する負荷が小さくなり、給紙ローラ４の個所で発生したジャムの解除を容易に行える。
【００１９】
ここで、ジャムの解除を行うために揺動部材３０を時計周り方向へ揺動させたとき、揺動部材３０の上縁部がレバー部材２１の押圧部３６に近接する。このため、カバー２６を開放したにも係わらずなんらかの原因でレバー部材２１がマイクロスイッチ２２をオフとする位置へ移動していなかった場合、揺動部材３０の上縁部が押圧部３６を押圧してレバー部材２１をマイクロスイッチ２２がオフとなる位置へ回動させる。従って、ジャムの解除作業時には、マイクロスイッチ２２を確実にオフとすることができ、ジャム解除作業を安全に行える。
【００２０】
上述したジャムの解除を行った後は、操作レバー３４を操作して揺動部材３０を支軸３１の周りに反時計周り方向へ揺動させ、ギヤ１２をギヤ１３との噛み合い状態に戻する。さらに、押圧部３５を揺動部材３２から離反させることにより、揺動部材３２はギヤ１７とギヤ１８とが噛み合う位置へ自動的に戻る。ギヤ１２とギヤ１３、及び、ギヤ１７とギヤ１８とを噛み合い状態に戻した後、カバー２６を閉止し、カバー２６の閉止に伴ってレバー部材２１を支軸２０の周りに時計周り方向へ回動させることによりマイクロスイッチ２２をオンにする。
【００２１】
ここで、ジャム解除を行った後、揺動部材３０を支軸３１の周りに反時計周り方向へ揺動させる操作を忘れたままカバー２６を閉止する場合がある。このような場合において、カバー２６を閉止してレバー部材２１を時計周り方向へ回動させることにより、レバー部材２１の押圧部３６が揺動部材３０の上縁部を押圧し、揺動部材３０を支軸３１の周りに反時計周り方向へ揺動させ、ギヤ１２とギヤ１３とが噛み合い状態に戻される。また、揺動部材３２が支軸３３の周りに時計周り方向へ揺動し、ギヤ１７とギヤ１８とが噛み合い状態に戻される。従って、ジャムを解除した後に揺動部材３０，３２をもとの位置に揺動させる操作を忘れても、カバー２６を閉止することにより揺動部材３０，３２がもとの位置へ自動的に揺動し、定着ローラ３と給紙ローラ４とへの駆動力の伝達を再開できる。
【００２２】
つぎに、本発明の実施の第二の形態を図３及び図４に基づいて説明する。なお、図１及び図２において説明した部分と同じ部分は同じ符号で示し、説明も省略する。本実施の形態は、前後方向へ回動自在なカバー２６に代えて、上下方向へ回動自在なカバー３７を本体ケース１の上部に取り付けたものである。その他の構造については、上述した実施の第一の形態と同じである。
【００２３】
前記カバー３７には、レバー部材２１に向けて下向きに突出した突起部３８が形成されている。この突起部３８は、カバー３７を閉止したときにレバー部材２１の第２受圧部２９に当接し、レバー部材２１に対してマイクロスイッチ２２をオンとする位置へ回動する向きの押圧力を作用させる。
【００２４】
このような構成において、図３は、全てのギヤ５〜１８が噛み合い、かつ、カバー３７が閉止されてマイクロスイッチ２２がオンになっている状態である。この状態からスタートスイッチをオンにすると、モータ２が駆動され、モータ２からの駆動力がギヤ列１９を介して伝達されることにより給紙ローラ４と定着ローラ３とが回転駆動される。
【００２５】
図４は、カバー３７を開放した状態である。給紙ローラ４や定着ローラ３の個所で発生したジャムを解除し、あるいは、トナーカートリッジを交換する場合には、カバー３７を開放する。カバー３７を開放すると、カバー３７の突起部３８がレバー部材２１の第２受圧部２９から離反し、レバー部材２１は板バネ２４の付勢力により支軸２０の周りに反時計周り方向へ回動し、マイクロスイッチ２２がオフになる。
【００２６】
カバー３７を開放してマイクロスイッチ２２をオフにした後は、上述した第一の実施の形態と同じように、揺動部材３０，３２を揺動させてギヤ１２，１３の噛み合いとギヤ１７，１８の噛み合いとを解除し、ジャム解除を行う。ジャム解除後には、図３に示すようにギヤ１２，１３とギヤ１７，１８とを噛み合い状態に戻し、カバー３７を閉止する。カバー３７の閉止に伴って突起部３８が第２受圧部２９を押圧し、レバー部材２１を回動させてマイクロスイッチ２２をオンにする。
【００２７】
【発明の効果】
請求項１記載の発明のインターロック装置によれば、電源スイッチをオンにする位置とオフにする位置とへ回動自在なレバー部材と、レバー部材を電源スイッチがオフとなる位置へ回動するように付勢する付勢部材と、レバー部材に設けられてカバーの閉止時にこのカバーにより押圧されてレバー部材を電源スイッチがオンとなる位置へ回動させる第１受圧部と第２受圧部とを有するので、カバーの閉止時にはこのカバーと対向する位置の第１受圧部又は第２受圧部をカバーで押圧することにより、カバーの開閉方向が異なる場合でもインターロック装置を共通化することができ、コストの低減を図ることができる。
【００２８】
請求項２記載の発明のインターロック装置によれば、請求項１記載の発明のインターロック装置において、モータからの駆動力を搬送ローラへ伝達するギヤ列内の少なくとも一個のギヤを保持してこのギヤを他のギヤとの噛み合いを断続する位置へ移動させる揺動部材と、レバー部材に設けられてこのレバー部材が電源スイッチをオンとする位置へ回動したときに揺動部材を押圧してギヤを噛み合い状態に戻す位置に移動させる押圧部とをさらに有するので、カバーを閉止することにより、電源スイッチをオンにすることができるとともにギヤ列のギヤを噛み合い状態に戻すことができ、搬送ローラの個所でのジャム解除後に再起動させるための操作性を向上させることができる。
【００３０】
請求項３記載の発明によれば、請求項１又は２記載の発明のインターロック装置において、電源スイッチを基板上に設けたので、電源スイッチから引き出されるハーネスを不要とすることができ、コストの低減を図ることができる。
【図面の簡単な説明】
【図１】本発明の実施の第一の形態におけるレバー部材とカバーとギヤ列との配置状態を示す側面図である。
【図２】カバーを開放してマイクロスイッチをオフにするとともに揺動部材をジャム解除位置へ揺動させた状態を示す側面図である。
【図３】本発明の実施の第二の形態におけるレバー部材とカバーとギヤ列との配置状態を示す側面図である。
【図４】カバーを開放してマイクロスイッチをオフにするとともに揺動部材をジャム解除位置へ揺動させた状態を示す側面図である。
【符号の説明】
２        モータ
３，４    搬送ローラ
１９        ギヤ列
２１        レバー部材
２２        電源スイッチ
２３        基板
２４        付勢部材
２６，３７  カバー
２８        第１受圧部，受圧部
２９        第２受圧部
３０，３２  揺動部材
３６        押圧部
【図１】
0003788840.tif 000002
【図２】
0003788840.tif 000003
【図３】
0003788840.tif 000004
【図４】
0003788840.tif 000005